(57)【要約】【課題】電波を用いたセンサ部で使用者を検知する場合の、水に起因する誤検知を抑制し、使用者の検知精度を向上させた洗面化粧台を提供する。【解決手段】オーバーフロー口を有するボウル部と、吐水口を有し、吐水口からボウル部に水を吐出する吐水部と、放射した電波の反射波に基づいて被検知体を検知するセンサ部と、センサ部の検知結果に応じて作動する駆動部と、を備え、センサ部は、ボウル部の受水面と、ボウル部の前方側に形成される前壁面と、の間に設けられ、センサ部の被検知体の検知領域は、吐水口から吐出される水の軌跡の領域、及びボウル部内のオーバーフロー口よりも下方の領域を含まないことを特徴とする。【選択図】図３
2018161430.tif 000002
【特許請求の範囲】
【請求項１】
オーバーフロー口を有するボウル部と、
吐水口を有し、前記吐水口から前記ボウル部に水を吐出する吐水部と、
放射した電波の反射波に基づいて被検知体を検知するセンサ部と、
前記センサ部の検知結果に応じて作動する駆動部と、
を備え、
前記センサ部は、前記ボウル部の受水面と、前記ボウル部の前方側に形成される前壁面と、の間に設けられ、
前記センサ部の前記被検知体の検知領域は、前記吐水口から吐出される水の軌跡の領域、及び前記ボウル部内の前記オーバーフロー口よりも下方の領域を含まないことを特徴とする洗面化粧台。
【請求項２】
前記センサ部から放射される電波は、前記洗面化粧台の前方側に向けて放射されることを特徴とする
請求項１に記載の洗面化粧台。
【請求項３】
前記センサ部の前記検知領域の中心軸線は、水平方向に対して下方向に傾斜していることを特徴とする
請求項２に記載の洗面化粧台。
【請求項４】
前記センサ部の前記検知領域の中心軸線は、水平方向に対して上方向に傾斜していることを特徴とする
請求項２に記載の洗面化粧台。
【請求項５】
前記駆動部は照明装置であり、
前記制御部は、前記被検知体が前記検知領域から離れたこと、もしくは、離れる動作を検知してから所定時間経過するまでは、前記照明装置を点灯し続けることを特徴とする
請求項４に記載の洗面化粧台。
【請求項６】
前記ボウル部の前記受水面と、前記センサ部との間には、電波を減衰する減衰部材が設けられていることを特徴とする
請求項１乃至請求項５のいずれか１項に記載の洗面化粧台。
【発明の詳細な説明】
【技術分野】
【０００１】
本発明の態様は、一般的に、洗面化粧台に関する。
【背景技術】
【０００２】
例えばマイクロ波センサなど電波を用いたセンサ部によって使用者を検知し、センサ部の検知結果に応じて照明などの駆動部を動作させる洗面化粧台がある（例えば、特許文献１）。
【０００３】
こうした洗面化粧台において、例えば、洗濯のためボウル部内に水を溜めたりする際など、使用者が水を吐出させたまま洗面化粧台の前を離れる場合がある。このような場合に、電波を用いたセンサ部では、吐水口から吐出される水流の動きやボウル部内に溜められた水の水面の揺らぎなどといった水の動きを検知し、使用者が滞在していると誤って判定してしまう可能性がある。
【０００４】
すなわち、センサ部の検知領域内に水が存在すると、センサ部が水の動きを検知して、使用者がいなくなったことが分からなくなってしまう可能性がある。また、上記のような誤検知を抑制するために、センサ部の検知領域を狭めると、洗面化粧台に接近する使用者を検知しづらくなってしまう。
【０００５】
このため、洗面化粧台では、電波を用いたセンサ部で使用者を検知する場合に、水に起因する誤検知を抑制し、使用者の検知精度を向上させることが望まれる。
【先行技術文献】
【特許文献】
【０００６】
【特許文献１】実開昭６３−１０３４９２号公報
【発明の概要】
【発明が解決しようとする課題】
【０００７】
本発明は、かかる課題の認識に基づいてなされたものであり、電波を用いたセンサ部で使用者を検知する場合の、水に起因する誤検知を抑制し、使用者の検知精度を向上させた洗面化粧台を提供することを目的とする。
【課題を解決するための手段】
【０００８】
上記目的を達成するために、本発明の一態様に係る洗面化粧台によれば、オーバーフロー口を有するボウル部と、吐水口を有し、前記吐水口から前記ボウル部に水を吐出する吐水部と、放射した電波の反射波に基づいて被検知体を検知するセンサ部と、前記センサ部の検知結果に応じて作動する駆動部と、を備え、前記センサ部は、前記ボウル部の受水面と、前記ボウル部の前方側に形成される前壁面と、の間に設けられ、前記センサ部の前記被検知体の検知領域は、前記吐水口から吐出される水の軌跡の領域、及び前記ボウル部内の前記オーバーフロー口よりも下方の領域を含まないことを特徴とする。
【０００９】
この構成によれば、センサ部がボウル部の受水面とボウル部の前方側に形成される前壁面との間に設けられており、センサ部の被検知体の検知領域が、吐水口から吐出される水の軌跡の領域及び、ボウル部内のオーバーフロー口よりも下方の領域を含まないので、吐水口から吐出された水やボウル部内に溜められた水の水面の揺らぎ等をセンサ部が検知してしまうことを抑制することができる。これにより、センサ部の検知結果に応じて作動する駆動部が、吐水や水溜めに起因する誤動作を起こしてしまうことを抑制することができる。また、上記のように検知領域を設定することにより、検知領域が過度に狭くなることもない。従って、電波を用いたセンサ部で使用者を検知する場合の、水に起因する誤検知を抑制し、使用者の検知精度を向上させた洗面化粧台を提供することができる。
【００１０】
また、本発明の一態様に係る洗面化粧台において、好ましくは、前記センサ部から放射される電波は、前記洗面化粧台の前方側に向けて放射されることを特徴とする。
【００１１】
この構成によれば、センサ部から放射される電波が洗面化粧台の前方側に向けて放射されているため、吐水口から吐出された水やボウル部内に溜められた水の水面の揺らぎ等をセンサ部が検知してしまうことをより確実に抑制することができる。加えて、洗面化粧台の前方側に検知領域が形成されるため、洗面化粧台に近づく使用者をより確実に検知することができる。
【００１２】
また、本発明の一態様に係る洗面化粧台において、好ましくは、前記センサ部の前記検知領域の中心軸線は、水平方向に対して下方向に傾斜していることを特徴とする。
【００１３】
この構成によれば、センサ部の検知領域の中心軸線が下方を向くように設定されるので、検知領域の水平方向の最大距離を短くすることができる。これにより、洗面化粧台から比較的遠い場所にいる人などを検知してしまうことを抑制することができる。例えば、洗面化粧台の前方を通過する人など、洗面化粧台を使用する意図のない人を検知して駆動部が作動してしまうことを抑制することができる。
【００１４】
また、本発明の一態様に係る洗面化粧台において、好ましくは、前記センサ部の前記検知領域の中心軸線は、水平方向に対して上方向に傾斜していることを特徴とする。
【００１５】
この構成によれば、センサ部の検知領域の中心軸線が上方を向くように設定されるので、検知領域の水平方向の最大距離を短くすることができる。これにより、洗面化粧台から比較的遠い場所にいる人などを検知してしまうことを抑制することができる。例えば、洗面化粧台の前方を通過する人など、洗面化粧台を使用する意図のない人を検知して駆動部が作動してしまうことを抑制することができる。
【００１６】
また、本発明の一態様に係る洗面化粧台において、好ましくは、前記駆動部は照明装置であり、前記制御部は、前記被検知体が前記検知領域から離れたこと、もしくは、離れる動作を検知してから所定時間経過するまでは、前記照明装置を点灯し続けることを特徴とする。
【００１７】
センサ部の検知領域の中心軸線が上方を向くように設定されている場合、例えば、使用者がボウル部の下方に設けられている収納部を利用する際や、洗面化粧台の目の前でかがんだりした際に、使用者が検知領域の範囲外に出てしまって、照明が消灯してしまうおそれがある。
この構成によれば、例えば、使用者がボウル部の下方に設けられている収納部を利用する際や、洗面化粧台の目の前でかがんだりした際に、使用者が検知領域の範囲外に出てしまった場合でも、所定時間は照明装置を点灯し続けることができる。そのため、例えば、洗面化粧台の前方を通過する人など、洗面化粧台を使用する意図のない人を検知して駆動部が作動してしまうことを抑制しつつ、洗面化粧台の使い勝手をより向上させることができる。
【００１８】
また、本発明の一態様に係る洗面化粧台において、好ましくは、前記ボウル部の前記受水面と、前記センサ部との間には、電波を減衰する減衰部材が設けられていることを特徴とする。
【００１９】
この構成によれば、ボウル部の受水面とセンサ部との間には、電波を減衰する減衰部材が設けられているので、吐水口から吐出された水やボウル部内に溜められた水の水面の揺らぎ等をセンサ部が検知してしまうことをより確実に抑制することができる。
【発明の効果】
【００２０】
本発明によれば、電波を用いたセンサ部で使用者を検知する場合の、水に起因する誤検知を抑制し、使用者の検知精度を向上させた洗面化粧台が提供される。
【図面の簡単な説明】
【００２１】
【図１】本発明の第１の実施形態に係る洗面化粧台を表す正面図である。
【図２】本発明の第１の実施形態に係る洗面化粧台を表す側面図である。
【図３】本発明の第１の実施形態に係る洗面化粧台を表す側面図である。
【図４】本発明の第１の実施形態に係る電気的構成を表すブロック図である。
【図５】本発明の第２の実施形態に係る洗面化粧台を表す側面図である。
【図６】本発明の第３の実施形態に係る洗面化粧台を表す側面図である。
【図７】本発明の第４の実施形態に係る洗面化粧台を表す側面図である。
【発明を実施するための形態】
【００２２】
以下、本発明の実施の形態について図面を参照しつつ説明する。なお、各図面中、同様の構成要素には、同一の符号を付して詳細な説明は適宜省略する。
【００２３】
（第１の実施形態）
図１は、第１の実施形態に係る洗面化粧台を表す正面図である。図２及び図３は、第１の実施形態に係る洗面化粧台を表す側面図である。
図１〜図３に表したように、洗面化粧台１０は、洗面器１２と、水栓装置１４と、支持部１６と、センサ部１８と、鏡２０と、照明装置２２（駆動部）と、を備える。なお、図３では、洗面器１２の一部を便宜的に省略した断面図として表している。
【００２４】
以下、本願明細書において、「上」、「下」、「右」及び「左」という記載は、洗面化粧台１０の前で洗面化粧台１０を見た人を基準とした上、下、右及び左をそれぞれいう。また、本願明細書においては、洗面化粧台１０から、洗面化粧台１０の前に居る人へ向かう方向を「前」方向とし、その逆方向を「後」方向とする。
【００２５】
洗面器１２は、ボウル部２４と、前壁部２５と、バックガード部２６と、を有する。ボウル部２４は、下方に向かって凹んだ凹状に形成されている。ボウル部２４は、排水口２８と、オーバーフロー口３０と、を有する。排水口２８は、ボウル部２４の底部に設けられる。排水口２８は、図示を省略した排水管に接続され、ボウル部２４に吐出された水を排水管に流す。ボウル部２４は、排水口２８に向かって下方へ傾斜した排水勾配を有する。排水口２８には、例えば、上下方向に昇降することにより排水口２８を開閉する排水栓３２が設けられる。排水口２８は、排水栓３２に限ることなく、例えば、ゴム栓などで塞げるようにしてもよい。
【００２６】
オーバーフロー口３０は、ボウル部２４内の上部に設けられている。オーバーフロー口３０は、洗面器１２の内部に設けられた排水経路を介して排水管と接続される。オーバーフロー口３０は、排水栓３２で排水口２８を塞ぎ、ボウル部２４内に水を溜める際に、オーバーフロー口３０に達した水を排水管に流すことにより、ボウル部２４から水が溢れることを抑制する。
【００２７】
前壁部２５は、洗面器１２を規定する前方側の壁部であり、ボウル部２４の前方側に形成されている（図２及び図３参照）。前壁部２５は、ボウル部２４の前方側において、ボウル部２４の周囲のリムから下方に向かって延びている。また、前壁部２５には、ボウル部２４の前方側であって、洗面化粧台１０の前に立った使用者に相対する、前壁面２５ａが形成されている（図２参照）。
【００２８】
バックガード部２６は、ボウル部２４の後端から上方に延びる。バックガード部２６は、必要に応じて設けられ、省略可能である。洗面器１２の形状は、少なくともボウル部２４を有する任意の形状でよい。
【００２９】
洗面器１２は、支持台１６の上に設けられる。支持台１６は、洗面器１２を支持する。支持台１６は、例えば、引き出しや扉などを有し、内部の空間に物品を収納可能なキャビネット（収納部）としても機能する。支持台１６は、換言すれば、洗面器１２のボウル部２４の下方に設けられる、下部キャビネット（フロアキャビネット）である。支持台１６は、必ずしも収納機能を有していなくてもよい。支持台１６は、洗面器１２を支持可能な任意の構成でよい。また、洗面器１２は、例えば、洗面所などの壁面に直接取り付けてもよい。すなわち、支持台１６は、必要に応じて設けられ、省略可能である。
【００３０】
水栓装置１４は、洗面器１２のバックガード部２６の上に設けられる。水栓装置１４は、本体部４０と、吐水部４２と、操作部４４と、を有する。本体部４０は、例えば、略矩形の箱状であり、内部の空間に給水管や給湯管などを収容する。吐水部４２は、本体部４０に設けられる。吐水部４２は、吐水口４２ａを有し、吐水口４２ａからボウル部２４に水を吐出する。操作部４４は、本体部４０に設けられる。操作部４４は、使用者の操作に応じて吐水部４２からの水の吐止水を切り替える。また、操作部４４は、例えば、吐水部４２からの水の吐止水を切り替えるとともに、吐水部４２から吐出される水の流量、及び吐水部４２から吐出される水の温度を切り替える。
【００３１】
操作部４４は、例えば、レバー状である。操作部４４を前後方向に揺動させることにより、吐水部４２からの水の吐止水、及び水の流量が切り替えられる。そして、操作部４４を左右方向に揺動させることにより、吐水部４２から吐出される水の温度が切り替えられる。操作部４４は、レバー状に限ることなく、例えば、回転するハンドル状などでもよい。また、吐水部４２から吐出される水の流量及び温度は、それぞれ別の操作部で調整してもよい。
【００３２】
吐水部４２及び操作部４４は、例えば、洗面器１２のバックガード部２６やボウル部２４の周囲のリム面などに設けてもよい。吐水部４２は、ボウル部２４に水を吐出可能な任意の構成でよい。操作部４４は、少なくとも吐水部４２からの水の吐止水を切り替え可能な任意の構成でよい。
【００３３】
センサ部１８は、前方に向かって電波を放射し、放射した電波の反射波に基づいて被検知体ＯＢＪを検知する。センサ部１８は、使用者などの人体を被検知体ＯＢＪとして検知する。センサ部１８は、換言すれば、人体検知センサである。
【００３４】
センサ部１８は、例えば、マイクロ波センサである。センサ部１８は、マイクロ波を送信し、使用者などの被検知体ＯＢＪで反射した反射波を受信し、送信波と受信波との位相差や周波数差を計測することにより、物体が電波センサ１８に対して接近方向か離れる方向かのどちらに移動しているかや物体の移動速度などを検知する。
【００３５】
センサ部１８は特定の周波数帯域（例えば約１０ＧＨｚまたは約２４ＧＨｚ帯域）のマイクロ波ドップラセンサである。
【００３６】
図２及び図３に示すように、センサ部１８は、洗面器１２の内部に設けられる。具体的には、ボウル部２４と前壁部２５との間には、空間が形成されており、センサ部１８は、この空間内において、ボウル部２４の受水面２４ａと前壁部２５の前壁面２５ａとの間に設けられている。なお、ボウル部２４の受水面２４ａとは、水を受ける面であり、凹状になっているボウル部２４の内側の面である。
例えば、洗面器１２の前壁部２５に陶器材料が用いられている場合、センサ部１８から放射された電波は、前壁部２５を透過可能である。従って、電波を透過させるための窓などを前壁部２５に設ける必要が無く、洗面化粧台１０の意匠性を高めることができる。なお、前壁部２５は陶器材料に限られず、センサ部１８からの電波を透過する材料であればよく、例えば樹脂材料などであってもよい。
【００３７】
図１にもどって、鏡２０は、水栓装置１４の上に設けられている。このように、鏡２０は、ボウル部２４よりも上方に配置される。これにより、洗面化粧台１０を利用する使用者が、水栓装置１４で手洗いなどを行いつつ、自身の姿を確認することができる。
【００３８】
洗面化粧台１０は、例えば、水栓装置１４の上に設けられた支持部４６をさらに備える。鏡２０は、この支持部４６の前面に取り付けられている。鏡２０は、例えば、一面鏡である。支持部４６は、例えば、内部に物品を収納可能なキャビネットとしてもよい。鏡２０は、例えば、キャビネットの扉の前面に設けてもよい。すなわち、鏡２０及び支持部４６は、いわゆるミラーキャビネットでもよい。
【００３９】
照明装置２２は、支持部４６の上に設けられている。すなわち、照明装置２２は、鏡２０の上に設けられている。照明装置２２は、例えば、前方及び下方に向けて光を照射し、鏡２０、ボウル部２４、及び洗面化粧台１０の前方に立つ使用者などを照明する。
【００４０】
照明装置２２は、センサ部１８の検知結果に応じて作動する。照明装置２２は、センサ部１８の検知に応じて点灯し、センサ部１８の非検知に応じて消灯する。すなわち、照明装置２２は、使用者の洗面化粧台１０への接近に応じて自動的に点灯し、使用者の洗面化粧台１０から離れる動きに応じて自動的に消灯する。これにより、使用者による点灯の操作の手間を省き、洗面化粧台１０の使い勝手を向上させることができる。また、照明装置２２の消し忘れにともなう無駄な消費電力の発生を抑制することができる。
【００４１】
照明装置２２は、例えば、スイッチなどにより、手動で点灯・消灯を切り替えられるようにしてもよい。また、例えば、センサ部１８の検知結果に基づく自動的な点灯・消灯の切り替えと、スイッチ操作などによる手動の点灯・消灯の切り替えとを選択的に切り替えられるようにしてもよい。
【００４２】
図２及び図３に表したように、センサ部１８の被検知体ＯＢＪの検知領域ＤＲは、吐水口４２ａから吐出される水の軌跡の第１領域Ｒ１、及びボウル部２４内のオーバーフロー口３０よりも下方の第２領域Ｒ２を含まない。すなわち、検知領域ＤＲは、吐水口４２ａから吐出される水、及びボウル部２４内に溜められた水と重ならない。また、センサ部１８から放射される電波は、洗面化粧台１０の前方側に向けて放射される。つまり、センサ部１８の検知領域ＤＲは、洗面化粧台１０の前方側に形成されている。
【００４３】
検知領域ＤＲとは、換言すれば、センサ部１８の有効電波領域である。センサ部１８は、電波放射方向に向けて電波を放射し、被検知体ＯＢＪの検知領域ＤＲである有効電波領域を形成する。この有効電波領域は、例えば、電波放射方向に沿って延びる略楕円形状断面の指向性パターンを有する。換言すれば、有効電波領域は、略楕円球状である。被検知体ＯＢＪが有効電波領域内に存在しない間は、センサ部１８は、有意な大きさの信号（例えばドップラ信号）を出力しないため、被検知体ＯＢＪが検知されない。一方、被検知体ＯＢＪが有効電波領域内に存在すると、センサ部１８は、有意な大きさの信号を出力するため、この信号に基づいて被検知体ＯＢＪの動きが検知される。
【００４４】
検知領域ＤＲは、例えば、センサ部１８から出力される電波の指向性のパターン、電波の強度、及び検知・非検知を判定する反射波の閾値などによって設定される。また、検知領域ＤＲは、例えば、電波に対して人体に近い反射特性を有する対象物を徐々にセンサ部１８に近付けていき、センサ部１８が非検知状態から検知状態に切り替わる境界を求めることによって測定することができる。
【００４５】
水栓装置１４が吐水口４２ａから吐出される水の流量の調整機能を有している場合、第１領域Ｒ１は、例えば、吐水口４２ａから吐出される水の最大の流量における軌跡の領域である。第１領域Ｒ１は、例えば、吐水口４２ａから吐出される水の最小の流量から最大の流量までの全ての軌跡を含む領域としてもよい。
【００４６】
図４は、第１の実施形態に係る洗面化粧台の電気的構成を表すブロック図である。
図４に表したように、センサ部１８は、送信部５０と、受信部５２と、差分検出部５４と、を有する。送信部５０は、洗面化粧台１０の前方に向けて電波を放射する。この際、送信部５０は、前述のように、検知領域ＤＲが第１領域Ｒ１及び第２領域Ｒ２に入らないように、前方に電波を放射する。
【００４７】
受信部５２は、放射した電波の反射波を受信し、反射波の強度に応じた信号を差分検出部５４に入力する。差分検出部５４は、送信部５０から送信した送信波と、受信部５２で受信された受信波との差分信号（例えばドップラー信号）を求める。
【００４８】
洗面化粧台１０は、制御装置６０をさらに有する。制御装置６０は、センサ部１８及び照明装置２２と電気的に接続されている。制御装置６０は、センサ部１８の検知結果に応じて照明装置２２を作動させる。すなわち、制御装置６０は、センサ部１８の検知結果に応じて照明装置２２の点灯・消灯を制御する。
【００４９】
制御装置６０は、信号受信部６２と、判定部６４と、を有する。信号受信部６２は、差分検出部５４と電気的に接続されている。信号受信部６２は、差分検出部５４から差分信号を受信する。換言すれば、差分検出部５４は、差分信号をセンサ部１８の検知結果として出力する。信号受信部６２は、受信した差分信号を判定部６４に入力する。
【００５０】
判定部６４は、差分信号が所定の閾値以上か否かを判定する。判定部６４は、例えば、差分信号の振幅が所定の閾値以上か否かを判定する。判定部６４は、差分信号が所定の閾値以上である場合に、被検知体ＯＢＪが検知領域ＤＲ内に存在すると判定し、差分信号が所定の閾値未満である場合に、被検知体ＯＢＪが検知領域ＤＲ内に存在していないと判定する。判定部６４は、照明装置２２と電気的に接続されている。判定部６４は、判定結果を照明装置２２に入力する。
【００５１】
照明装置２２は、光源部６６と、照明制御部６８と、を有する。光源部６６は、例えば、電球、蛍光灯、又は発光素子などの光源を有する。光源部６６は、電力供給に応じて光源を点灯させることにより、光を照射する。例えば、ＬＥＤ（Light Emitting Diode）などの発光素子を光源として用いる場合には、複数の光源が光源部６６に設けられる。
【００５２】
照明制御部６８は、判定部６４及び光源部６６と電気的に接続されている。照明制御部６８は、判定部６４の判定結果に応じて光源部６６への電力供給を制御する。すなわち、照明制御部６８は、被検知体ＯＢＪが存在すると判定された場合に、光源部６６に電力を供給して光源部６６を点灯させ、被検知体ＯＢＪが存在していないと判定された場合に、光源部６６への電力供給を停止して光源部６６を消灯させる。これにより、照明装置２２
が、センサ部１８の検知結果に応じて作動する。
【００５３】
以上、説明したように、本実施形態に係る洗面化粧台１０では、センサ部１８がボウル部２４の受水面２４ａと、ボウル部２４の前方側に形成される前壁面２５ａとの間に設けられており、センサ部１８の被検知体の検知領域ＤＲが、吐水口４２ａから吐出される水の軌跡の第１領域Ｒ１、及びボウル部２４内のオーバーフロー口３０よりも下方の第２領域を含まないので、吐水口４２ａから吐出された水やボウル部２４内に溜められた水の揺らぎなどをセンサ部１８が検知してしまうことを抑制することができる。これにより、センサ部１８の検知結果に応じて作動する照明装置２２が、吐水や水溜めに起因する誤動作を起こしてしまうことを抑制することができる。
【００５４】
例えば、吐水口４２ａから水を吐出し、ボウル部２４に水溜めを行っている状態で使用者が洗面化粧台１０から離れた場合に、センサ部１８が誤動作を起こして照明装置２２が点灯したままになってしまうことを抑制することができる。
【００５５】
また、上記のように検知領域ＤＲを設定することにより、検知領域ＤＲが過度に狭くなることもない。従って、電波を用いたセンサ部１８で使用者を検知する場合の、水に起因する誤検知を抑制し、使用者の検知精度を向上させた洗面化粧台１０を提供すうことができる。
【００５６】
センサ部１８から放射される電波は、洗面化粧台１０の前方側に向けて放射されるため、吐水口４２ａから吐出された水やボウル部２４内に溜められた水の水面の揺らぎなどをセンサ部１８が検知してしまうことをより確実に抑制することができる。加えて、洗面化粧台１０の前方側に検知領域ＤＲが形成されるため、洗面化粧台１０に近づく使用者をより確実に検知することができる。
【００５７】
（第２の実施形態）
図５は、第２の実施形態に係る洗面化粧台を表す側面図である。
図５に表したように、洗面化粧台１００では、センサ部１８の検知領域ＤＲの中心軸線ＣＡが、水平方向ＨＤに対して下方向に傾斜している。なお、以下の実施形態において、上記第１の実施の形態と機能・構成上実質的に同じものについては、同符号を付し、詳細な説明は省略する。
【００５８】
中心軸線ＣＡは、水平方向ＨＤから下向きの０°以上９０°以下の範囲に設定される。換言すれば、水平方向ＨＤと中心軸線ＣＡの成す角度θは、下向きに０°以上９０°以下である。なお、この場合においても、センサ部１８の被検知体の検知領域ＤＲが、吐水口４２ａから吐出される水の軌跡の第１領域Ｒ１、及びボウル部２４内のオーバーフロー口３０よりも下方の第２領域を含まない。
【００５９】
なお、中心軸線ＣＡとは、例えば、検知領域ＤＲにおいてセンサ部１８の中心から最も遠い点と、センサ部１８の中心とを結ぶ仮想線である。検知領域ＤＲにおいてセンサ部１８の中心から最も遠い点とは、すなわち検知領域ＤＲの中で電波強度の最も強い部分である。中心軸線ＣＡは、換言すれば、センサ部１８の極大指向方向である。
【００６０】
このように、本実施形態に係る洗面化粧台１００では、センサ部１８の検知領域ＤＲの中心軸線ＣＡが下方を向くように設定されるので、検知領域ＤＲの水平方向ＨＤの最大距離を短くすることができる。これにより、洗面化粧台１００から比較的遠い場所にいる人などを検知してしまうことを抑制することができる。例えば、洗面化粧台１００の前方を通過する人など、洗面化粧台１００を使用する意図のない人を検知して照明装置２２が作動してしまうことを抑制することができる。例えば、意図せず照明装置２２が点灯してしまうことを抑制することができる。
【００６１】
水平方向ＨＤと中心軸線ＣＡとの成す角度θは、より好ましくは、５°以上４５°以下である。これにより、洗面化粧台１００から比較的遠い場所にいる人などの検知を抑制することができると共に、中心軸線ＣＡが過度に下向きに傾斜することを抑制することができ、使用者の検知精度をより向上させることができる。
【００６２】
（第３の実施形態）
図６は、第３の実施形態に係る洗面化粧台を表す側面図である。
図６に表したように、洗面化粧台１１０では、センサ部１８の検知領域ＤＲの中心軸線ＣＡが、水平方向ＨＤに対して上方向に傾斜している。
【００６３】
中心軸線ＣＡは、水平方向ＨＤから上向きの０°以上９０°以下の範囲に設定される。換言すれば、水平方向ＨＤと中心軸線ＣＡの成す角度θは、下向きに０°以上９０°以下である。なお、この場合においても、センサ部１８の被検知体の検知領域ＤＲが、吐水口４２ａから吐出される水の軌跡の第１領域Ｒ１、及びボウル部２４内のオーバーフロー口３０よりも下方の第２領域を含まない。
【００６４】
このように、本実施形態に係る洗面化粧台１１０では、センサ部１８の検知領域ＤＲの中心軸線ＣＡが上方を向くように設定されるので、検知領域ＤＲの水平方向ＨＤの最大距離を短くすることができる。これにより、洗面化粧台１１０から比較的遠い場所にいる人などを検知してしまうことを抑制することができる。例えば、洗面化粧台１１０の前方を通過する人など、洗面化粧台１１０を使用する意図のない人を検知して照明装置２２が作動してしまうことを抑制することができる。例えば、意図せず照明装置２２が点灯してしまうことを抑制することができる。
【００６５】
水平方向ＨＤと中心軸線ＣＡとの成す角度θは、より好ましくは、５°以上４５°以下である。これにより、洗面化粧台１１０から比較的遠い場所にいる人などの検知を抑制することができると共に、中心軸線ＣＡが過度に上向きに傾斜することを抑制することができ、使用者の検知精度をより向上させることができる。
【００６６】
ここで、洗面化粧台１１０において、絵洗面化粧台１１０において、センサ部１８の検知領域ＤＲの中心軸線ＣＡが上方を向くように設定されている。これにより、例えば、使用者がボウル部２４の下方に設けられている収納部（支持台１６）を利用する際や、洗面化粧台の目の前でかがんだりした際に、使用者が検知領域ＤＲの範囲外に出てしまって、照明装置２２が消灯してしまい、使い勝手が悪くなるといったおそれがある。
【００６７】
そこで、本実施形態に係る洗面化粧台１１０において、制御装置６０は、被検知体ＯＢＪが検知領域ＤＲから離れたこと、もしくは、離れる動作を検知してから所定時間経過するまでは、照明装置２２を点灯し続けるように制御を行う。具体的には、制御装置６０の判定部６４において、被検知体ＯＢＪが検知領域ＤＲに存在しない、もしくは、検知領域ＤＲ内における被検知体ＯＢＪが洗面化粧台１１０から離れる動きを行ったと判定された場合に、所定時間、例えば３秒〜５秒経過するまで照明装置２２を点灯し続けるように、制御装置６０から照明制御部６８に信号を出力する。所定時間経過後、制御装置６０は、判定部６４において被検知体ＯＢＪが存在しないと判定された場合は照明装置２２を消灯するように制御する。なお、所定時間経過後に、判定部６４において被検知体ＯＢＪが存在すると判定された場合は照明装置２２を点灯し続ける。
【００６８】
このように、制御装置６０は、被検知体ＯＢＪが検知領域ＤＲから離れたこと、もしくは、離れる動作を検知してから所定時間経過するまでは、照明装置２２を点灯し続けるように制御を行うので、例えば、使用者がボウル部２４の下方に設けられている収納部を利用する際や、洗面化粧台１１０の目の前でかがんだりした際に、使用者が検知領域ＤＲの範囲外に出てしまった場合でも、所定時間は照明装置２２を点灯し続けることができる。そのため、例えば洗面化粧台１１０の前方を通過する人など、洗面化粧台１１０を使用する意図のない人を検知して照明装置２２が作動してしまうことを抑制しつつ、洗面化粧台１１０の使い勝手をより向上させることができる。
【００６９】
（第４の実施形態）
図７は、第４の実施形態に係る洗面化粧台を表す側面図である。
図７に表したように、洗面化粧台１２０では、センサ部１８とボウル部２４の受水面２４ａとの間には、電波を減衰する減衰部材１２１が設けられている。
【００７０】
センサ部１８から放射された電波は、減衰部材１２１によって減衰されるため、ボウル部２４側には届かないようになっている。そのため、ボウル部２４に吐水口４２ａから吐出された水やボウル部２４内に溜められた水の水面の揺らぎなどをセンサ部１８が検知してしまうことをより確実に抑制することができる。
なお、減衰部材１２１は、例えば、磁気損失によって電波を吸収する、シリコンなどのゴム状の基材にセンダストやフェライトなどの磁性材料を練り込んだものや、電波を反射する特性をもつ金属材料などである。
【００７１】
なお、本実施形態における減衰部材１２１は、各実施形態の洗面化粧台１０、１００、１１０に設けられていてもよい。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１０、１００、１１０、１２０などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０、１００、１１０、１２０    洗面化粧台
１２    洗面器
１４    水栓装置
１６    支持台（収納部）
１８    センサ部
２０    鏡
２２    照明装置
２４    ボウル部
２４ａ  受水面
２５    前壁部
２５ａ  前壁面
２６    バックガード部
２８    排水口
３０    オーバーフロー口
３２    排水栓
４０    本体部
４２    吐水部
４２ａ  吐水口
４４    操作部
４６    支持部
５０    送信部
５２    受信部
５４    差分検出部
６０    制御装置
６２    信号受信部
６４    判定部
６６    光源部
６８    照明制御部
１２１    減衰部材
【図１】
2018161430.tif 000003
【図２】
2018161430.tif 000004
【図３】
2018161430.tif 000005
【図４】
2018161430.tif 000006
【図５】
2018161430.tif 000007
【図６】
2018161430.tif 000008
【図７】
2018161430.tif 000009